(57)【要約】      （修正有）【課題】立体感に溢れる外観を呈する時計用文字板を提供すること、また、前記時計用文字板を備えた時計を提供すること。【解決手段】時計用文字板１は、平面視した際に複数個のマイクロレンズ１１１が規則的に配置されたマイクロレンズ層１１と、模様１２１が設けられた装飾層１２とを備え、平面視した際に、前記マイクロレンズ層１１と前記装飾層１２とが重なり合うものであり、前記装飾層１２は、前記模様１２１が互いに異なる複数の領域を有するものであることを特徴とする。前記装飾層１２は、前記模様１２１として、複数の線状の模様、および／または、前記マイクロレンズ１１１と同種の配置でかつ前記マイクロレンズ１１１とはピッチが異なる繰り返し模様を有するものであるのが好ましい。【選択図】図１
2013061190.tif 000002
【特許請求の範囲】
【請求項１】
平面視した際に複数個のマイクロレンズが規則的に配置されたマイクロレンズ層と、
模様が設けられた装飾層とを備え、
平面視した際に、前記マイクロレンズ層と前記装飾層とが重なり合うものであり、
前記装飾層は、前記模様が互いに異なる複数の領域を有するものであることを特徴とする時計用文字板。
【請求項２】
前記装飾層は、前記模様として、複数の線状の模様、および／または、前記マイクロレンズと同種の配置でかつ前記マイクロレンズとはピッチが異なる繰り返し模様を有するものである請求項１に記載の時計用文字板。
【請求項３】
前記装飾層は、前記マイクロレンズと同種の配置で、かつ、前記マイクロレンズとはピッチが異なる繰り返し模様が設けられたものであり、
前記複数の領域として、前記繰り返し模様のピッチが互いに異なる領域を有する請求項１または２に記載の時計用文字板。
【請求項４】
前記マイクロレンズのピッチをＰＭＬ［μｍ］、前記繰り返し模様の構成単位のピッチをＰＲ［μｍ］としたとき、ＰＭＬ−ＰＲが正の値である領域Ａと、ＰＭＬ−ＰＲの値が負であり、前記領域Ａよりも時計用文字板の外周側に設けられた領域Ｂとを有する請求項３に記載の時計用文字板。
【請求項５】
前記装飾層は、前記マイクロレンズと同種の配置で、かつ、前記マイクロレンズとはピッチが異なる繰り返し模様が設けられた領域Ｃと、複数の線状の模様が設けられた領域Ｄとを有するものである請求項１ないし４のいずれかに記載の時計用文字板。
【請求項６】
前記領域Ｄは、前記領域Ｃよりも時計用文字板の外周側に設けられたものである請求項５に記載の時計用文字板。
【請求項７】
時字として機能する領域Ｅと、当該領域Ｅ以外の領域としての領域Ｆとで、前記装飾層のパターンが異なる請求項１ないし６のいずれかに記載の時計用文字板。
【請求項８】
前記装飾層は、前記マイクロレンズと同種の配置で、かつ、前記マイクロレンズとはピッチが異なる繰り返し模様が設けられたものであり、
前記領域Ｅは、前記領域Ｆよりも前記繰り返し模様の構成単位のピッチが小さいものである請求項７に記載の時計用文字板。
【請求項９】
前記装飾層は、前記複数の領域として、時刻を表示するための針の軸を中心に、放射状に延びた線により分割された領域を有するものである請求項１ないし８のいずれかに記載の時計用文字板。
【請求項１０】
前記装飾層は、前記マイクロレンズと同種の配置で、かつ、前記マイクロレンズとはピッチが異なる繰り返し模様が設けられたものであり、
前記マイクロレンズのピッチをＰＭＬ［μｍ］、前記繰り返し模様の構成単位のピッチをＰＲ［μｍ］としたとき、ＰＭＬ−ＰＲが正の値である領域と、ＰＭＬ−ＰＲの値が負である領域とが、隣り合っている請求項９に記載の時計用文字板。
【請求項１１】
前記マイクロレンズと同種の配置で、かつ、前記マイクロレンズとはピッチが異なる繰り返し模様が設けられた領域と、複数の線状の模様が設けられた領域とが、隣り合っている請求項９または１０に記載の時計用文字板。
【請求項１２】
前記装飾層は、前記マイクロレンズと同種の配置で、かつ、前記マイクロレンズとはピッチが異なる繰り返し模様が設けられたものであり、
前記繰り返し模様の構成単位が数字であり、
これらの数字が、当該数字に対応する時刻を表示する領域に配置されている請求項９ないし１１のいずれかに記載の時計用文字板。
【請求項１３】
前記装飾層は、前記放射状に延びた線により１２個の領域に分割されており、これらの領域には、１から１２の数字が配置されている請求項１２に記載の時計用文字板。
【請求項１４】
請求項１ないし１３のいずれかに記載の時計用文字板を備えたことを特徴とする時計。
【発明の詳細な説明】
【技術分野】
【０００１】
本発明は、時計用文字板および時計に関する。
【背景技術】
【０００２】
時計、時計用文字板は、実用品としての機能が求められるとともに、装飾品としての装飾性（美的外観）が求められる。
従来、時計用文字板としては、高級感のある外観を得るために、一般に、金属材料で構成されたものが用いられてきたが、従来の時計用文字板では、表現することのできる外観の範囲が限られており、需要者のニーズに十分に対応することができなかった。
【０００３】
例えば、立体感のある外観を呈する文字板を備えた時計に対するニーズは大きく、模様等のパターンと透明塗膜とを交互に複数形成して積層化した時計用文字板が提案されている（特許文献１参照）。
しかしながら、このような時計用文字板では、時計用文字板の厚み以上の立体感を表現することができず、また、厚さの制限から、時計用文字板自体の厚さを極端に大きくすることも困難であるため、上記のようなニーズに十分に応えることができなかった。特に、腕時計のような携帯時計に適用される文字板では、特に、時計全体としての厚みについての制約が大きく、立体感に溢れた外観の実現が極めて困難であった。
【先行技術文献】
【特許文献】
【０００４】
【特許文献１】特開平２−３０６１８８号公報
【発明の概要】
【発明が解決しようとする課題】
【０００５】
本発明の目的は、立体感に溢れる外観を呈する時計用文字板を提供すること、また、前記時計用文字板を備えた時計を提供することにある。
【課題を解決するための手段】
【０００６】
このような目的は下記の本発明により達成される。
本発明の時計用文字板は、平面視した際に複数個のマイクロレンズが規則的に配置されたマイクロレンズ層と、
模様が設けられた装飾層とを備え、
平面視した際に、前記マイクロレンズ層と前記装飾層とが重なり合うものであり、
前記装飾層は、前記模様が互いに異なる複数の領域を有するものであることを特徴とする。
これにより、立体感に溢れる外観を呈する時計用文字板を提供することができる。特に、本発明では、装飾層が模様の異なる複数の領域を有するものであることにより、時計用文字板全体としての立体感をより強調することができる。
【０００７】
本発明の時計用文字板では、前記装飾層は、前記模様として、複数の線状の模様、および／または、前記マイクロレンズと同種の配置でかつ前記マイクロレンズとはピッチが異なる繰り返し模様を有するものであることが好ましい。
これにより、時計用文字板の美的外観、立体感を特に優れたものとすることができる。
本発明の時計用文字板では、前記装飾層は、前記マイクロレンズと同種の配置で、かつ、前記マイクロレンズとはピッチが異なる繰り返し模様が設けられたものであり、
前記複数の領域として、前記繰り返し模様のピッチが互いに異なる領域を有することが好ましい。
これにより、時計用文字板の美的外観、立体感を特に優れたものとすることができる。
【０００８】
本発明の時計用文字板では、前記マイクロレンズのピッチをＰＭＬ［μｍ］、前記繰り返し模様の構成単位のピッチをＰＲ［μｍ］としたとき、ＰＭＬ−ＰＲが正の値である領域Ａと、ＰＭＬ−ＰＲの値が負であり、前記領域Ａよりも時計用文字板の外周側に設けられた領域Ｂとを有することが好ましい。
これにより、時計用文字板の美的外観、立体感をさらに優れたものとすることができるとともに、時刻の視認性（認識のしやすさ）を特に優れたものとすることができる。すなわち、実用品としての実用性と、装飾品としての美的外観とを、より高いレベルで両立することができる。
【０００９】
本発明の時計用文字板では、前記装飾層は、前記マイクロレンズと同種の配置で、かつ、前記マイクロレンズとはピッチが異なる繰り返し模様が設けられた領域Ｃと、複数の線状の模様が設けられた領域Ｄとを有するものであることが好ましい。
これにより、時計用文字板の美的外観、立体感を特に優れたものとすることができる。
本発明の時計用文字板では、前記領域Ｄは、前記領域Ｃよりも時計用文字板の外周側に設けられたものであることが好ましい。
これにより、時計用文字板の美的外観、立体感をさらに優れたものとすることができるとともに、時刻の視認性（認識のしやすさ）を特に優れたものとすることができる。すなわち、実用品としての実用性と、装飾品としての美的外観とを、より高いレベルで両立することができる。
【００１０】
本発明の時計用文字板では、時字として機能する領域Ｅと、当該領域Ｅ以外の領域としての領域Ｆとで、前記装飾層のパターンが異なることが好ましい。
これにより、時刻の視認性を十分に優れたものとしつつ、時計用文字板の美的外観、立体感を特に優れたものとすることができる。
本発明の時計用文字板では、前記装飾層は、前記マイクロレンズと同種の配置で、かつ、前記マイクロレンズとはピッチが異なる繰り返し模様が設けられたものであり、
前記領域Ｅは、前記領域Ｆよりも前記繰り返し模様の構成単位のピッチが小さいものであることが好ましい。
これにより、時計用文字板の美的外観、立体感をさらに優れたものとすることができるとともに、時刻の視認性（認識のしやすさ）を特に優れたものとすることができる。すなわち、実用品としての実用性と、装飾品としての美的外観とを、より高いレベルで両立することができる。
【００１１】
本発明の時計用文字板では、前記装飾層は、前記複数の領域として、時刻を表示するための針の軸を中心に、放射状に延びた線により分割された領域を有するものであることが好ましい。
これにより、時計用文字板の美的外観、立体感を特に優れたものとすることができる。
本発明の時計用文字板では、前記装飾層は、前記マイクロレンズと同種の配置で、かつ、前記マイクロレンズとはピッチが異なる繰り返し模様が設けられたものであり、
前記マイクロレンズのピッチをＰＭＬ［μｍ］、前記繰り返し模様の構成単位のピッチをＰＲ［μｍ］としたとき、ＰＭＬ−ＰＲが正の値である領域と、ＰＭＬ−ＰＲの値が負である領域とが、隣り合っていることが好ましい。
これにより、時計用文字板の美的外観、立体感をさらに優れたものとすることができる。
【００１２】
本発明の時計用文字板では、前記マイクロレンズと同種の配置で、かつ、前記マイクロレンズとはピッチが異なる繰り返し模様が設けられた領域と、複数の線状の模様が設けられた領域とが、隣り合っていることが好ましい。
これにより、時計用文字板の美的外観、立体感を特に優れたものとすることができる。
本発明の時計用文字板では、前記装飾層は、前記マイクロレンズと同種の配置で、かつ、前記マイクロレンズとはピッチが異なる繰り返し模様が設けられたものであり、
前記繰り返し模様の構成単位が数字であり、
これらの数字が、当該数字に対応する時刻を表示する領域に配置されていることが好ましい。
これにより、時計用文字板の美的外観、立体感を特に優れたものとすることができるとともに、時刻の視認性（認識のしやすさ）を特に優れたものとすることができる。すなわち、実用品としての実用性と、装飾品としての美的外観とを、より高いレベルで両立することができる。
【００１３】
本発明の時計用文字板では、前記装飾層は、前記放射状に延びた線により１２個の領域に分割されており、これらの領域には、１から１２の数字が配置されていることが好ましい。
これにより、時計用文字板の美的外観、立体感をさらに優れたものとすることができるとともに、時刻の視認性（認識のしやすさ）をさらに優れたものとすることができる。すなわち、実用品としての実用性と、装飾品としての美的外観とを、さらに高いレベルで両立することができる。
【００１４】
本発明の時計は、本発明の時計用文字板を備えたことを特徴とする。
これにより、立体感に溢れる外観を呈する時計用文字板を備えた時計を提供することができる。特に、本発明では、装飾層が模様の異なる複数の領域を有するものであることにより、時計全体としての立体感をより強調することができる。
本発明によれば、立体感に溢れる外観を呈する時計用文字板を提供すること、また、前記時計用文字板を備えた時計を提供することができる。
【図面の簡単な説明】
【００１５】
【図１】本発明の時計用文字板の好適な実施形態を示す断面図である。
【図２】マイクロレンズ層を構成するマイクロレンズと装飾層を構成する模様との関係を説明するための平面図である。
【図３】マイクロレンズ層を構成するマイクロレンズと装飾層を構成する模様との関係を説明するための平面図である。
【図４】マイクロレンズ層を構成するマイクロレンズと装飾層を構成する模様との関係を説明するための平面図である。
【図５】マイクロレンズ層を構成するマイクロレンズと装飾層を構成する模様との関係を説明するための平面図である。
【図６】装飾層を構成する複数の領域の配置を説明するための平面図である。
【図７】装飾層を構成する複数の領域の配置を説明するための平面図である。
【図８】装飾層を構成する複数の領域の配置を説明するための平面図である。
【図９】装飾層を構成する複数の領域の配置を説明するための平面図である。
【図１０】本発明の時計（携帯時計）の好適な実施形態を示す部分断面図である。
【発明を実施するための形態】
【００１６】
以下、本発明の好適な実施形態について、添付図面を参照しつつ説明する。
まず、本発明の時計用文字板の好適な実施形態について説明する。
＜時計用文字板＞
図１は、本発明の時計用文字板の好適な実施形態を示す断面図、図２〜図５は、マイクロレンズ層を構成するマイクロレンズと装飾層を構成する模様との関係を説明するための平面図、図６〜図９は、装飾層を構成する複数の領域の配置を説明するための平面図である。なお、本明細書で参照する図面は、構成の一部を誇張して示したものであり、実際の寸法等を正確に反映したものではない。また、図６〜図９中の斜線は、隣り合う領域を明確に区別するために用いたものである。
【００１７】
図に示すように、時計用文字板１は、マイクロレンズ層１１と、模様１２１が設けられた装飾層１２とを備えている。
マイクロレンズ層１１は、複数個のマイクロレンズ１１１を備えるものであり、当該マイクロレンズ１１１は、時計用文字板１（マイクロレンズ層１１）を平面視した際に規則的に配置されたものである（図２〜図５参照）。
マイクロレンズ層１１と装飾層１２とは、時計用文字板１を平面視した際に重なり合うものである。
【００１８】
そして、装飾層１２は、模様１２１が互いに異なる複数の領域を有するものである（図６〜図９参照）。時計用文字板の構成をこのようなものとすることにより、光の干渉（モアレ）を視覚的に使用し、立体感に溢れる外観を呈する時計用文字板を提供することができることを、本発明者は鋭意研究の結果見出した。特に、観察者の錯覚を利用するにより、時計用文字板の厚みを、現実の厚み以上のものとして、観察者に認識させることができる時計用文字板を提供することができることを、本発明者は鋭意研究の結果見出した。特に、本発明では、装飾層が模様の異なる複数の領域を有するものであることにより、時計用文字板全体としての立体感をより強調することができる。
なお、時計用文字板１は、マイクロレンズ層１１が装飾層１２よりも観察者側（外表面側）に配されるようにして用いられるものである。
【００１９】
≪マイクロレンズ層を構成するマイクロレンズと装飾層を構成する模様との関係≫
以下、マイクロレンズ層を構成するマイクロレンズと装飾層を構成する模様との関係について、具体的な組み合わせ例（図２〜図５参照）を挙げて説明する。
［マイクロレンズ層］
マイクロレンズ層１１は、複数個のマイクロレンズ１１１が規則的に配置されたものである。
【００２０】
図２〜図５に示す構成では、時計用文字板１を平面視した際の隣り合うマイクロレンズ１１１の中心を直線で結んだ場合に、当該直線によって複数個の四角形が規則的に配置されたものとなるように、複数個のマイクロレンズ１１１が配置されている。これにより、時計用文字板１の美的外観を特に優れたものとすることができる。
特に、図２〜図５に示す構成では、前記四角形が正方形である。これにより、時計用文字板１の美的外観をさらに優れたものとすることができる。
【００２１】
マイクロレンズ１１１の焦点距離は、１００μｍ以上１０００μｍ以下であるのが好ましく、１５０μｍ以上５００μｍ以下であるのがより好ましい。これにより、時計用文字板１の美的外観を特に優れたものとすることができる。なお、焦点は、図中にＰで示した。
マイクロレンズ１１１のピッチ（時計用文字板１を平面視した際のピッチ）ＰＭＬは、５０μｍ以上５００μｍ以下であるのが好ましく、６０μｍ以上３００μｍ以下であるのがより好ましい。これにより、時計用文字板１の美的外観を特に優れたものとすることができる。なお、本発明において、マイクロレンズのピッチとは、隣り合うマイクロレンズについて、時計用文字板を平面視した際のそれぞれの中心点を結ぶ距離のことをいう。
【００２２】
マイクロレンズ層１１は、光透過性を有する材料で構成されたものである。本発明において、「光透過性を有する」とは、可視光領域（３８０〜７８０ｎｍの波長領域）の光の少なくとも一部を透過する性質を有することを指し、好ましくは可視光領域の光の透過率が５０％以上であり、より好ましくは可視光領域の光の透過率が６０％以上である。このような光の透過率は、例えば、以下に述べるようにして求められる値を採用することができる。すなわち、光源として、白色蛍光灯（東芝社製、検査用蛍光灯  ＦＬ２０Ｓ−Ｄ６５）を用い、１０００ルクス下で、測定対象の部材（または時計用文字板）と同一形状のソーラーセル（太陽電池）のみで発電した際の電流値（Ｘ）を求める。また、前記ソーラーセルの光源側の面に測定対象である部材（または時計用文字板）を載せた以外は、前記と同一の状態で発電した際の電流値（Ｙ）を求める。そして、上記のようにして求められたＹのＸに対する比率（（Ｙ／Ｘ）×１００［％］）を、光の透過率として採用することができる。
【００２３】
マイクロレンズ層１１を構成する材料としては、例えば、各種プラスチック材料、各種ガラス材料等が挙げられるが、マイクロレンズ層１１は、主としてプラスチック材料で構成されたものであるのが好ましい。プラスチック材料は、一般に、成形性（成形の自由度）に優れており、種々の形状の時計用文字板１の製造に好適に適用することができる。また、マイクロレンズ層１１がプラスチック材料で構成されたものであると、時計用文字板１の製造コスト低減に有利である。また、プラスチック材料は、一般に、光（可視光）の透過性に優れるとともに、電波の透過性にも優れているため、マイクロレンズ層１１がプラスチック材料で構成されたものであると、時計用文字板１を、ソーラー時計（太陽電池を備えた時計）、電波時計に好適に適用することができる。以下の説明では、マイクロレンズ層１１が主としてプラスチック材料で構成された例を、中心に説明する。なお、本発明では、「主として」とは、対象としている部位（部材）を構成する材料のうち最も含有量の多い成分を指し、その含有量は特に限定されないが、対象としている部位（部材）を構成する材料の６０ｗｔ％以上であることが好ましく、８０ｗｔ％以上であることがより好ましく、９０ｗｔ％以上であることがさらに好ましい。
【００２４】
マイクロレンズ層１１を構成するプラスチック材料としては、各種熱可塑性樹脂、各種熱硬化性樹脂等が挙げられる。これらの具体例としては、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂、エポキシ系樹脂、ウレタン系樹脂等、またはこれらを主とする共重合体、ブレンド体、ポリマーアロイ等が挙げられる。そして、これらの材料は、１種または２種以上を組み合わせて（例えば、ブレンド樹脂、ポリマーアロイ、積層体等として）用いることができる。特に、マイクロレンズ層１１は、主として、ポリカーボネートで構成されたものであるのが好ましい。これにより、マイクロレンズ１１１をより透明性の高いものとすることができるとともに、マイクロレンズ１１１の屈折率を最適なものとすることができるため、時計用文字板１全体としての美的外観を特に優れたものとすることができる。また、時計用文字板１全体としての強度を特に優れたものとすることができるとともに、マイクロレンズ１１１の寸法精度をより高いものとすることができ、また、マイクロレンズ１１１の不本意な変形等をより確実に防止することができるため、時計用文字板１の信頼性を特に優れたものとすることができる。また、マイクロレンズ層１１が、アクリル系樹脂、ポリエステル系樹脂、エポキシ系樹脂、ウレタン系樹脂で構成されたものである場合、印刷法（特に、インクジェット法のような液滴吐出法）によるマイクロレンズ１１１の形成をより好適に行うことができる。
【００２５】
なお、マイクロレンズ層１１は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。例えば、マイクロレンズ層１１が着色剤を含む材料で構成されたものであると、時計用文字板１の色のバリエーションを広げることができる。
【００２６】
マイクロレンズ層１１は、各部位でその組成が実質的に均一な組成を有するものであってもよいし、部位によって組成の異なるものであってもよい。
マイクロレンズ層１１の屈折率（絶対屈折率）は、１．５００以上１．６５０以下であるのが好ましく、１．５５０以上１．６００以下であるのがより好ましい。これにより、時計用文字板１の美的外観を特に優れたものとすることができる。
【００２７】
なお、図示の構成では、マイクロレンズ１１１は、略半球状をなすものであり、平面視した際の形状が円形をなす球面レンズであるが、マイクロレンズ１１１の形状は、特に限定されるものでなく、例えば、平面視した際の形状が俵型形状（略楕円形状、長円形状）や、略三角形状、略四角形状、略六角形状等をなすものであってもよい。
また、マイクロレンズ基板（マイクロレンズ層）１１の形状、大きさは、特に限定されず、通常、製造すべき時計用文字板１の形状、大きさに基づいて決定される。なお、図示の構成では、マイクロレンズ基板１１は、平板状をなすものであるが、例えば、湾曲板状等をなすものであってもよい。
【００２８】
また、マイクロレンズ基板１１は、いかなる方法で成形されたものであってもよいが、マイクロレンズ基板１１の製造方法としては、例えば、圧縮成形、押出成形、射出成形、光造形、２Ｐ法等が挙げられる。また、マイクロレンズ基板１１は、例えば、マイクロレンズ１１１を有していない板状部材に、インクジェット法等の液滴吐出法により、マイクロレンズ１１１の構成材料を含む液状材料を吐出することにより、マイクロレンズ１１１を形成して得られたものであってもよい。また、マイクロレンズ１１１は、オフセット印刷、グラビア印刷等の各種印刷法を用いて形成されたものであってもよい。印刷法を用いてマイクロレンズを形成した場合、マイクロレンズ基板１１の生産コストを抑制することができる点で有利である。なお、本発明では、マイクロレンズ基板が有するマイクロレンズのうち少なくとも一部は平面視した際の形状が円形状のものでなくてもよく、例えば、楕円形状をなすものであってもよい。また、複数のマイクロレンズは、それぞれが独立したものであっても、隣り合うもの同士がつながったものであってもよい。
【００２９】
［装飾層］
装飾層１２を構成する模様は、光の干渉（モアレ）を生じさせるものであればいかなるものであってもよいが、装飾層１２は、模様１２１として、複数の線状の模様１２１Ｂ、および／または、マイクロレンズ１１１と同種の配置でかつマイクロレンズ１１１とはピッチが異なる繰り返し模様１２１Ａを有するものであるのが好ましい。これにより、時計用文字板１の美的外観、立体感を特に優れたものとすることができる。
【００３０】
なお、本明細書において、「マイクロレンズ１１１と同種の配置」とは、マイクロレンズの配置と同一で大きさが異なるもの（相似の関係）のほか、装飾層１２の面内の所定方向に圧縮または延伸した配置（例えば、時計用文字板１を平面視した際の隣り合うマイクロレンズ１１１の中心を直線で結んだ場合に、当該直線により複数個の正方形が規則的に配置されたものである場合においては、時計用文字板１を平面視した際の隣り合う繰り返し模様１２１Ａの中心を直線で結んだ場合に、当該直線によって複数個の正方形以外の平行四辺形が配置されたものとなるような配置等）のことをいう。
【００３１】
図２〜図４に示す構成では、装飾層１２は、前記模様として、複数個の構成単位を有する繰り返し模様１２１Ａを備えたものである。繰り返し模様１２１Ａは、マイクロレンズ１１１と同種の配置で、かつ、マイクロレンズ１１１とはピッチが異なるものである。繰り返し模様１２１Ａのピッチの方がマイクロレンズ１１１のピッチよりも小さい場合には模様が沈んで見え、一方、繰り返し模様１２１Ａのピッチの方がマイクロレンズ１１１のピッチよりも大きい場合には模様が浮かんで見える。すなわち、図２に示すような構成では、模様が沈んで見え、図３に示すような構成では、模様が浮かんで見える。
【００３２】
繰り返し模様１２１Ａの隣り合う構成単位のピッチ（時計用文字板１を平面視した際のピッチ）ＰＲは、４０μｍ以上５５０μｍ以下であるのが好ましく、５０μｍ以上３５０μｍ以下であるのがより好ましい。これにより、時計用文字板１の美的外観を特に優れたものとすることができる。また、装飾層において、隣り合う構成単位間のピッチが異なる部位を設けられている場合、有効領域（時計用文字板を平面視した際にマイクロレンズ層と装飾層とが重なり合う領域であり、かつ、時計用文字板の使用時に観察者が視認しうる領域）の全体について、隣り合う構成単位のピッチが上記範囲内に含まれるものであるのが好ましい。なお、本発明において、隣り合う構成単位のピッチとは、隣り合う構成単位について、時計用文字板を平面視した際のそれぞれの中心点を結ぶ距離のことをいう。
【００３３】
マイクロレンズ１１１のピッチをＰＭＬ［μｍ］、繰り返し模様１２１Ａの構成単位のピッチをＰＲ［μｍ］としたとき、０．５≦ＰＲ／ＰＭＬ≦１．５の関係を満足するのが好ましく、０．７≦ＰＲ／ＰＭＬ≦１．３の関係を満足するのがより好ましい。これにより、時計用文字板１の外観をより立体感に溢れるものとすることができ、時計用文字板１の美的外観を特に優れたものとすることができる。なお、装飾層において、隣り合う構成単位間のピッチが異なる部位を設けられている場合、有効領域（時計用文字板を平面視した際にマイクロレンズ層と装飾層とが重なり合う領域であり、かつ、時計用文字板の使用時に観察者が視認しうる領域）の全体について、上記のような関係を満足するのが好ましい。
【００３４】
繰り返し模様１２１Ａの構成単位は、図２、図３に示す構成では円形状をなすものであり、図４に示す構成では数字であるが、繰り返し模様１２１Ａの構成単位の形状は、これらに限定されず、いかなるものであってもよい。繰り返し模様１２１Ａの構成単位は、例えば、多角形状、楕円形状、星型形状、数字以外の文字のほか、漫画のキャラクター等のより複雑な形状をなすものであってもよい。また、図４に示す構成では、繰り返し模様１２１Ａを構成する数字は、ローマ数字であるが、アラビア数字、漢数字等であってもよい。
【００３５】
また、図５に示す構成では、装飾層１２は、前記模様として、複数の線状の模様１２１Ｂを備えたものである。
特に、図示の構成では、隣り合う線状の模様１２１Ｂのピッチが、直線状の基準線１２０の長手方向に沿って変化するものである。これにより、時計用文字板１の外観をより立体感に溢れるものとすることができ、時計用文字板１の美的外観を特に優れたものとすることができる。なお、図示の構成では、基準線１２０は、装飾層１２を構成する複数の線状の模様１２１Ｂのうちの一つであるが、基準線１２０は、概念的なものであって、装飾層１２を構成する線状の模様１２１Ｂでなくてもよい。
【００３６】
また、基準線１２０の単位長さ（１ｃｍ）あたりの前記ピッチの変化量は、０．４μｍ以上１６μｍ以下であるのが好ましく、０．５μｍ以上１０μｍ以下であるのがより好ましい。すなわち、基準線１２０の単位長さ（１ｃｍ）あたりの前記ピッチの変化率は、０．２０％以上４．５％以下であるのが好ましく、０．２５％以上２．８％以下であるのがより好ましい。これにより、時計用文字板１の外観をより立体感に溢れるものとすることができ、時計用文字板１の美的外観をさらに優れたものとすることができる。
【００３７】
また、複数の線状の模様１２１Ｂは、直線状の基準線１２０の長手方向の各部位における基準線１２０の単位長さあたりの前記ピッチの変化率が、互いに等しいものであるのが好ましい。例えば、図中ＳＡで示した基準線１２０上の点を通り、基準線１２０に垂直な線ＬＡ上での隣り合う線状の模様１２１ＢのピッチＰＲＡ１［μｍ］、ＰＲＡ２［μｍ］、ＰＲＡ３［μｍ］、ＰＲＡ４［μｍ］は、図中ＳＢで示した基準線１２０上の点を通り、基準線１２０に垂直な線ＬＢ上での隣り合う線状の模様１２１ＢのピッチＰＲＢ１［μｍ］、ＰＲＢ２［μｍ］、ＰＲＢ３［μｍ］、ＰＲＢ４［μｍ］との間で、ＰＲＡ１／ＰＲＢ１＝ＰＲＡ２／ＰＲＢ２＝ＰＲＡ３／ＰＲＢ３＝ＰＲＡ４／ＰＲＢ４の関係を満足する。これにより、時計用文字板１の外観をより立体感に溢れるものとすることができ、時計用文字板１の美的外観をさらに優れたものとすることができる。
【００３８】
なお、基準線１２０上の任意の点を通り、基準線１２０に垂直な線上での隣り合う線状の模様１２１Ｂのピッチ（例えば、ＰＲＡ１、ＰＲＡ２、ＰＲＡ３およびＰＲＡ４）は、互いに異なるものであってもよいが、同一であるのが好ましい。これにより、時計用文字板１の美的外観をさらに優れたものとすることができる。
隣り合う線状の模様１２１Ｂのピッチ（時計用文字板１を平面視した際の基準線１２０に垂直な方向でのピッチ）ＰＲは、４０μｍ以上５５０μｍ以下であるのが好ましく、５０μｍ以上３５０μｍ以下であるのがより好ましい。これにより、時計用文字板１の美的外観を特に優れたものとすることができる。図示の構成では、隣り合う線状の模様１２１Ｂのピッチが、直線状の基準線１２０の長手方向に沿って変化するものであるが、このような場合、時計用文字板１の領域の少なくとも一部で上記のような条件を満足するのが好ましく、時計用文字板１の全領域で上記の条件を満足するのがより好ましい。
【００３９】
マイクロレンズ１１１のピッチをＰＭＬ［μｍ］、隣り合う線状の模様１２１ＢのピッチをＰＲ［μｍ］としたとき、０．５≦ＰＲ／ＰＭＬ≦１．５の関係を満足するのが好ましく、０．７≦ＰＲ／ＰＭＬ≦１．３の関係を満足するのがより好ましい。これにより、時計用文字板１の外観をより立体感に溢れるものとすることができ、時計用文字板１の美的外観を特に優れたものとすることができる。図示の構成では、隣り合う線状の模様１２１Ｂのピッチが、直線状の基準線１２０の長手方向に沿って変化するものであるが、このような場合、時計用文字板１の領域の少なくとも一部で上記のような条件を満足するのが好ましく、時計用文字板１の全領域で上記の条件を満足するのがより好ましい。
【００４０】
なお、隣り合う線状の模様１２１Ｂのピッチの方がマイクロレンズ１１１のピッチよりも小さい場合には模様が沈んで見え、一方、隣り合う線状の模様１２１Ｂのピッチの方がマイクロレンズ１１１のピッチよりも大きい場合には模様が浮かんで見える。
マイクロレンズ１１１のレンズ面（図１中の上側の面）から装飾層１２の表面（図１中の上側の面）までの距離は、１００μｍ以上１０００μｍ以下であるのが好ましく、１５０μｍ以上５００μｍ以下であるのがより好ましい。これにより、時計用文字板１の外観をより立体感に溢れるものとすることができ、時計用文字板１の美的外観を特に優れたものとすることができる。
【００４１】
特に、図示の構成のように、時計用文字板１を平面視した際の隣り合うマイクロレンズ１１１の中心を直線で結んだ場合に、当該直線により複数個の正方形が規則的に配置されたものとなるように、複数個のマイクロレンズ１１１が配置されている場合、マイクロレンズ１１１のレンズ面（図１中の上側の面）から装飾層１２の表面（図１中の上側の面）までの距離は、１００μｍ以上１０００μｍ以下であるのが好ましく、２５０μｍ以上６００μｍ以下であるのがより好ましい。これにより、時計用文字板１の外観をより立体感に溢れるものとすることができ、時計用文字板１の美的外観を特に優れたものとすることができる。
【００４２】
マイクロレンズ１１１の焦点距離をＬ０［μｍ］、マイクロレンズ１１１のレンズ面から装飾層１２の表面までの距離をＬ１［μｍ］としたとき、０．５≦Ｌ１／Ｌ０≦１．５の関係を満足するのが好ましく、０．６≦Ｌ１／Ｌ０≦１．４の関係を満足するのがより好ましい。これにより、時計用文字板１の外観をより立体感に溢れるものとすることができ、時計用文字板１の美的外観を特に優れたものとすることができる。
【００４３】
また、装飾層１２の形状、大きさは、特に限定されず、通常、製造すべき時計用文字板１の形状、大きさに基づいて決定される。なお、図示の構成では、装飾層１２は、平板状をなすものであるが、例えば、湾曲板状等をなすものであってもよい。
また、図示の構成では、マイクロレンズ層（マイクロレンズ基板）１１と装飾層１２とが密着している。これにより、マイクロレンズ１１１と線状の模様１２１Ｂとの距離を一定に保つことができ、時計用文字板１の外観を安定的に優れたものとすることができる。
【００４４】
装飾層１２（模様）は、いかなる材料で構成されたものであってもよく、例えば、各種顔料、各種染料等の着色剤や、金属材料を含む材料で構成されたものであってもよい。また、装飾層１２は、樹脂材料を含む材料で構成されたものであってもよい。これにより、装飾層１２のマイクロレンズ基板１１に対する密着性を特に優れたものとすることができる。
【００４５】
装飾層１２は、いかなる方法で形成されたものであってもよく、例えば、スクリーン印刷法、グラビア印刷法、タコ印刷法、インクジェット法等の各種印刷法を用いて形成されたものであってもよい。これにより、マイクロレンズ層（マイクロレンズ基板）１１と装飾層１２とをより確実に密着させることができ、その結果、より確実に、マイクロレンズ１１１と装飾層１２（模様）との距離を一定に保つことができ、時計用文字板１の外観を安定的に優れたものとすることができる。
【００４６】
各種印刷法の中でも、インクジェット法が特に好ましい。インクジェット法を適用することにより、上述した効果がより顕著に発揮されるとともに、微細な模様であっても、好適に形成することができる。
また、基板上に形成された膜に対してエッチング処理を施し、残存した部分を、模様としてもよい。
【００４７】
≪装飾層を構成する複数の領域の配置について≫
上述したように、本発明の時計用文字板において、装飾層は、模様が互いに異なる複数の領域を有するものである。これにより、観察者に、時計用文字板が奥行き感の異なる領域を有するものと認識させることができ、時計用文字板の立体感が特に優れたものであると認識させることができる。
【００４８】
以下、装飾層を構成する複数の領域の配置について、詳細に説明する。
装飾層１２は、マイクロレンズ１１１と同種の配置で、かつ、マイクロレンズとはピッチが異なる繰り返し模様が設けられたものであり、前記複数の領域として、繰り返し模様１２１Ａのピッチが互いに異なる領域を有するものであってもよい。例えば、装飾層１２は、図２に示すような領域と、図３に示すような領域とを有するものであってもよい。これにより、時計用文字板１の美的外観、立体感を特に優れたものとすることができる。
【００４９】
また、装飾層１２は、マイクロレンズ１１１と同種の配置で、かつ、マイクロレンズ１１１とはピッチが異なる繰り返し模様１２１Ａ（図２〜図４参照）が設けられた領域（領域Ｃ）と、複数の線状の模様（図５参照）が設けられた領域（領域Ｄ）とを有するものであってもよい。例えば、装飾層１２は、図２および／または図３に示すような領域と、図５に示すような領域とを有するものであってもよい。これにより、時計用文字板１の美的外観、立体感を特に優れたものとすることができる。
【００５０】
次に、装飾層を構成する複数の領域の配置について、図面を参照しつつ、具体例を挙げてより詳細に説明する。
装飾層１２は、平面視した際に、模様が互いに異なる複数の領域を有するものであればよいが、装飾層における前記領域の配置の具体例としては、図６〜図９に示すようなものが挙げられる。
【００５１】
図６に示す構成では、装飾層１２は、前記複数の領域として、時計用文字板１を平面視した際の中心付近の第１の領域１２３（時刻を表示するための針の軸（時針、分針、秒針）を取り囲む領域）と、第１の領域１２３の外周（第１の領域１２３よりも時計用文字板１の外周側）に設けられた第２の領域１２４とを有している。このように、時計用文字板１を平面視した際の中心付近の領域（第１の領域１２３）と、外周側の領域（第２の領域１２４）とで、装飾層の模様を異なるものとすることにより、時計用文字板の美的外観、立体感を優れたものとしつつ、時刻の視認性（認識のしやすさ）も優れたものとすることができる。すなわち、実用品としての実用性と、装飾品としての美的外観とを、高いレベルで両立することができる。
【００５２】
図６に示すように、装飾層１２が、前記複数の領域として、時計用文字板１を平面視した際の中心付近の領域（第１の領域１２３）と、外周側の領域（第２の領域１２４）とを有するものである場合、これらの領域に繰り返し模様１２１Ａ（図２〜図４参照）が設けられており、マイクロレンズ１１１のピッチをＰＭＬ［μｍ］、繰り返し模様１２１Ａの構成単位のピッチをＰＲ［μｍ］としたとき、第１の領域（領域Ａ）１２３においてＰＭＬ−ＰＲが正の値であり、第２の領域（領域Ｂ）１２４においてＰＭＬ−ＰＲの値が負であるのが好ましい。これにより、時計用文字板１の美的外観、立体感をさらに優れたものとすることができるとともに、時刻の視認性（認識のしやすさ）を特に優れたものとすることができる。すなわち、実用品としての実用性と、装飾品としての美的外観とを、より高いレベルで両立することができる。
【００５３】
また、図６に示すように、装飾層１２が、前記複数の領域として、時計用文字板１を平面視した際の中心付近の領域（第１の領域１２３）と、外周側の領域（第２の領域１２４）とを有するものである場合、第１の領域１２３が、マイクロレンズ１１１と同種の配置で、かつ、マイクロレンズ１１１とはピッチが異なる繰り返し模様１２１Ａ（図２〜図４参照）が設けられた領域（領域Ｃ）であり、第２の領域１２４が、複数の線状の模様（図５参照）が設けられた領域（領域Ｄ）であるのが好ましい。これにより、時計用文字板１の美的外観、立体感をさらに優れたものとすることができるとともに、時刻の視認性（認識のしやすさ）を特に優れたものとすることができる。すなわち、実用品としての実用性と、装飾品としての美的外観とを、より高いレベルで両立することができる。
【００５４】
図７に示す構成では、装飾層１２は、前記複数の領域として、時字として機能する領域（領域Ｅ）１２５と、それ以外の領域（領域Ｆ）１２６とを有している。これにより、時刻の視認性を十分に優れたものとしつつ、時計用文字板１の美的外観、立体感を特に優れたものとすることができる。
図７に示すように、装飾層１２が、前記複数の領域として、時字として機能する領域（領域Ｅ）と、それ以外の領域（領域Ｆ）とを有するものである場合、これらの領域に繰り返し模様１２１Ａ（図２〜図４参照）が設けられており、領域Ｅにおける前記繰り返し模様の構成単位のピッチが、領域Ｆにおける前記繰り返し模様の構成単位のピッチよりも小さいものであるのが好ましい。これにより、時計用文字板１の美的外観、立体感をさらに優れたものとすることができるとともに、時刻の視認性（認識のしやすさ）を特に優れたものとすることができる。すなわち、実用品としての実用性と、装飾品としての美的外観とを、より高いレベルで両立することができる。
【００５５】
図８、図９に示す構成では、装飾層１２は、前記複数の領域として、時刻を表示するための針の軸を中心に、放射状に延びた線により分割された領域を有している。すなわち、図８に示す構成では、放射状に延びた線により分割（等分割）された４個の領域を有しており、図９に示す構成では、放射状に延びた線により分割（等分割）された１２個の領域を有している。このような構成にすることにより、時計用文字板１の美的外観、立体感を特に優れたものとすることができる。
【００５６】
図８、図９に示すように、装飾層１２が、前記複数の領域として、時刻を表示するための針の軸を中心に放射状に延びた線により分割された領域を有するものである場合、これらの領域に繰り返し模様１２１Ａ（図２〜図４参照）が設けられており、マイクロレンズ１１１のピッチをＰＭＬ［μｍ］、繰り返し模様１２１Ａの構成単位のピッチをＰＲ［μｍ］としたとき、ＰＭＬ−ＰＲが正の値である領域と、ＰＭＬ−ＰＲの値が負である領域とが、隣り合って設けられているのが好ましい。これにより、時計用文字板１の美的外観、立体感をさらに優れたものとすることができる。
【００５７】
また、図８、図９に示すように、装飾層１２が、前記複数の領域として、時刻を表示するための針の軸を中心に放射状に延びた線により分割された領域を有するものである場合、マイクロレンズ１１１と同種の配置で、かつ、マイクロレンズ１１１とはピッチが異なる繰り返し模様１２１Ａ（図２〜図４参照）が設けられた領域と、複数の線状の模様１２１Ｂ（図５参照）が設けられた領域とが、隣り合っているのが好ましい。これにより、時計用文字板１の美的外観、立体感を特に優れたものとすることができる。
【００５８】
また、図８、図９に示すように、装飾層１２が、前記複数の領域として、時刻を表示するための針の軸を中心に放射状に延びた線により分割された領域を有するものである場合、これらの領域に繰り返し模様１２１Ａが設けられており、繰り返し模様１２１Ａの構成単位が数字であり、これらの数字が、当該数字に対応する時刻を表示する領域に配置されているものであるのが好ましい（図４参照）。これにより、時計用文字板１の美的外観、立体感を特に優れたものとすることができるとともに、時刻の視認性（認識のしやすさ）を特に優れたものとすることができる。すなわち、実用品としての実用性と、装飾品としての美的外観とを、より高いレベルで両立することができる。
【００５９】
また、図９に示すように、装飾層１２が、前記複数の領域として、時刻を表示するための針の軸を中心に放射状に延びた線により分割された領域を１２個有するものである場合、これらの領域には、１から１２の数字が配置されているのが好ましい。これにより、時計用文字板１の美的外観、立体感をさらに優れたものとすることができるとともに、時刻の視認性（認識のしやすさ）をさらに優れたものとすることができる。すなわち、実用品としての実用性と、装飾品としての美的外観とを、さらに高いレベルで両立することができる。
【００６０】
時計用文字板１は、携帯時計（例えば、腕時計）に適用されるものであるのが好ましい。携帯時計は、各種時計の中でも、特に、薄型化が要求されるものであるが、本発明によれば、時計用文字板の厚さを十分に薄いものとしつつ、時計用文字板の立体感を十分に優れたものとすることができる。すなわち、本発明の時計用文字板が携帯時計に適用された場合、本発明の効果がより顕著に発揮される。
【００６１】
＜時計＞
次に、上述したような本発明の時計用文字板を備えた本発明の時計について説明する。
本発明の時計は、上述したような本発明の時計用文字板を有するものである。上述したように、本発明の時計用文字板は、立体感に溢れる外観を呈するものであり、特に、観察者の錯覚を利用するにより、時計用文字板の厚みを、現実の厚み以上のものとして、観察者に認識させることができるものであり、装飾性（美的外観）に優れたものである。特に、本発明では、装飾層が模様の異なる複数の領域を有するものであることにより、時計全体としての立体感をより強調することができる。また、装飾層１２等の材料の選択等により、上記のような優れた外観を確保しつつ、時計用文字板１全体としての光透過性を優れたものとすることができる。このため、このような時計用文字板を備えた本発明の時計は、ソーラー時計としての求められる要件を十分に満足することができる。なお、本発明の時計を構成する時計用文字板（本発明の時計用文字板）以外の部品としては、公知のものを用いることができるが、以下に、本発明の時計の構成の一例について説明する。
【００６２】
図１０は、本発明の時計（腕時計）の好適な実施形態を示す断面図である。
図１０に示すように、本実施形態の腕時計（携帯時計）１００は、胴（ケース）８２と、裏蓋８３と、ベゼル（縁）８４と、ガラス板（カバーガラス）８５とを備えている。また、ケース８２内には、前述したような本発明の時計用文字板１と、太陽電池９４と、ムーブメント８１とが収納されており、さらに、図示しない針（指針）等が収納されている。時計用文字板１は、太陽電池９４と、ガラス板（カバーガラス）８５との間に設けられており、マイクロレンズ層１１が、ガラス板（カバーガラス）８５側を向くように配置されている。
【００６３】
ガラス板８５は、通常、透明性の高い透明ガラスやサファイア等で構成されている。これにより、本発明の時計用文字板１の審美性を十分に発揮させることができるとともに、太陽電池９４に十分な光量の光を入射させることができる。
ムーブメント８１は、太陽電池９４の起電力を利用して、指針を駆動する。
図１０中では省略しているが、ムーブメント８１内には、例えば、太陽電池９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
【００６４】
また、ムーブメント８１は、図示しない電波受信用のアンテナを備えている。そして、受信した電波を用いて時刻調整等を行う機能を有している。
太陽電池９４は、光エネルギーを電気エネルギーに変換する機能を有する。そして、太陽電池９４で変換された電気エネルギーは、ムーブメントの駆動等に利用される。
太陽電池９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００６５】
胴８２には巻真パイプ８６が嵌入・固定され、この巻真パイプ８６内にはりゅうず８７の軸部８７１が回転可能に挿入されている。
胴８２とベゼル８４とは、プラスチックパッキン８８により固定され、ベゼル８４とガラス板８５とはプラスチックパッキン８９により固定されている。
また、胴８２に対し裏蓋８３が嵌合（または螺合）されており、これらの接合部（シール部）９３には、リング状のゴムパッキン（裏蓋パッキン）９２が圧縮状態で介挿されている。この構成によりシール部９３が液密に封止され、防水機能が得られる。
【００６６】
りゅうず８７の軸部８７１の途中の外周には溝８７２が形成され、この溝８７２内にはリング状のゴムパッキン（りゅうずパッキン）９１が嵌合されている。ゴムパッキン９１は巻真パイプ８６の内周面に密着し、該内周面と溝８７２の内面との間で圧縮される。この構成により、りゅうず８７と巻真パイプ８６との間が液密に封止され防水機能が得られる。なお、りゅうず８７を回転操作したとき、ゴムパッキン９１は軸部８７１と共に回転し、巻真パイプ８６の内周面に密着しながら周方向に摺動する。
【００６７】
上記のような携帯時計（腕時計）は、各種時計の中でも特に、薄型化が求められるものであるため、時計用文字板の薄型化と優れた美的外観との両立を図ることができる本発明をより好適に適用することができる。
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
以上、本発明の好適な実施形態について説明したが、本発明は上記のようなものに限定されるものではない。
【００６８】
例えば、本発明の時計用文字板、時計では、各部の構成は、同様の機能を発揮する任意の構成のものに置換することができ、また、任意の構成を付加することもできる。例えば、各種印刷法により形成された印刷部を有するものであってもよい。また、マイクロレンズ層および／または装飾層の表面には、少なくとも１つの層が設けられていてもよい。このような層は、例えば、時計用文字板の使用時等において除去されるものであってもよい。
【００６９】
また、前述した実施形態では、マイクロレンズ層において、時計用文字板を平面視した際の隣り合うマイクロレンズの中心を直線で結んだ場合に、当該直線によって複数個の四角形（特に正方形）が規則的に配置されたものとなるように、複数個のマイクロレンズが配置されている場合について代表的に説明したが、マイクロレンズの配置は、これに限定されず、例えば、前記直線によって複数個の三角形（例えば、正三角形）が規則的に配置されたものとなるように、複数個のマイクロレンズが配置されていてもよい。
【００７０】
また、前述した実施形態では、装飾層の各領域を構成する模様として、複数の線状の模様、マイクロレンズと同種の配置でかつマイクロレンズとはピッチが異なる繰り返し模様について代表的に説明したが、装飾層の各領域を構成する模様は、これらに限定されるものではない。
また、前述した実施形態では、装飾層が有する異なる複数の領域の組み合わせとして、複数の線状の模様を有する領域、と、マイクロレンズと同種の配置でかつマイクロレンズとはピッチが異なる繰り返し模様を有する領域との組み合わせ、ピッチが異なる繰り返し模様を有する領域同士の組み合わせ、構成単位の形状が異なる繰り返し模様が設けられた領域同士の組み合わせ等について代表的に説明したが、異なる複数の領域の組み合わせは、これらに限定されるものではない。
【００７１】
また、前述した実施形態では、装飾層が複数の線状の模様で構成された領域を有するものである場合、当該領域において、隣り合う線状の模様のピッチが、直線状の基準線の長手方向に沿って変化するものである場合について代表的に説明したが、複数の線状の模様は、平行に配されたものであってもよい。また、複数の線状の模様は、規則的に配されたものに限定されず、ランダムに配されたものであってもよい。
【００７２】
また、図５に示す構成では、時計用文字板の中心（平面視した際の中心）から外周（３時および９時の方向）に向かって、隣り合う線状の模様のピッチが漸減するものであったが、例えば、時計用文字板の中心（平面視した際の中心）から外周（３時および９時の方向等）に向かって、隣り合う線状の模様のピッチが漸増するものであってもよい。
また、図５に示す構成では、装飾層が１本の直線状の基準線を基準とする一群の線群（複数の線状の模様）を有するものであったが、装飾層は複数の線群（例えば、第１の基準線を基準とする線群、および、第２の基準線を基準とする線群）を有するものであってもよい。
【００７３】
また、図８、図９に示す構成では、装飾層が、時刻を表示するための針の軸を中心に放射状に延びた線により分割された領域を、４個または１２個有するものであったが、放射状に延びた線により分割された領域は、それ以外の個数であってもよい。
また、図８、図９に示す構成では、装飾層は、放射状に延びた線により等分割（中心角が同一）されており、分割された領域は互いに等しい面積を有するものであったが、放射状に延びる線は等間隔のものに限定されず、分割された領域は面積の異なるものであってもよい。
【００７４】
また、前述した実施形態では、マイクロレンズ層には、同一のパターンで（一定のピッチで）マイクロレンズが設けられている場合について代表的に説明したが、マイクロレンズ層は、マイクロレンズの配置パターンの異なる複数の領域を有するものであってもよい。
また、前述した実施形態では、マイクロレンズ層が、マイクロレンズとして凸レンズを備えるものである場合について代表的に説明したが、マイクロレンズは、装飾層の設けられた面側で焦点を結ぶものであればよく、凹レンズであってもよい。
また、前述した実施形態では、マイクロレンズを備えるマイクロレンズ層と、装飾層とが、密着した構成である場合について代表的に説明したが、マイクロレンズ層と装飾層とは、密着していなくてもよい。例えば、時計用文字板は、マイクロレンズ基板と、装飾層が設けられた基板とを備え、これらが所定距離だけ離間したものであってもよい。
【符号の説明】
【００７５】
１…時計用文字板  １１…マイクロレンズ層（マイクロレンズ基板）  １１１…マイクロレンズ  １２…装飾層  １２０…基準線  １２１…模様  １２１Ａ…繰り返し模様  １２１Ｂ…線状の模様（線状模様）  １２３…第１の領域  １２４…第２の領域  １２５…領域（領域Ｅ）  １２６…領域（領域Ｆ）  ８１…ムーブメント  ８２…胴（ケース）  ８３…裏蓋  ８４…ベゼル（縁）  ８５…ガラス板（カバーガラス）  ８６…巻真パイプ  ８７…りゅうず  ８７１…軸部  ８７２…溝  ８８…プラスチックパッキン  ８９…プラスチックパッキン  ９１…ゴムパッキン（りゅうずパッキン）  ９２…ゴムパッキン（裏蓋パッキン）  ９３…接合部（シール部）  ９４…太陽電池  １００…腕時計（携帯時計）  ＳＡ…基準線上の点  ＳＢ…基準線上の点  ＬＡ…線  ＬＢ…線  ＰＭＬ…ピッチ  ＰＲ…ピッチ  ＰＲＡ１…ピッチ  ＰＲＡ２…ピッチ  ＰＲＡ３…ピッチ  ＰＲＡ４…ピッチ  ＰＲＢ１…ピッチ  ＰＲＢ２…ピッチ  ＰＲＢ３…ピッチ  ＰＲＢ４…ピッチ  Ｐ…焦点
【図１】
2013061190.tif 000003
【図２】
2013061190.tif 000004
【図３】
2013061190.tif 000005
【図４】
2013061190.tif 000006
【図５】
2013061190.tif 000007
【図６】
2013061190.tif 000008
【図７】
2013061190.tif 000009
【図８】
2013061190.tif 000010
【図９】
2013061190.tif 000011
【図１０】
2013061190.tif 000012